(57)【要約】      （修正有）【課題】対人殺傷力に低い機雷として漁場を密猟者から防衛する為に、その本体に船舶で接触すると悪臭を持った液体が噴出す機能を持たせる。【解決手段】海面に浮いて機能し、悪臭を持つ液体を噴射するノズル１を有する対密猟者用簡易機雷であって、本体容器２よりセンサー３が突き出ていると共に、内部に交換可能な圧縮空気缶１３と液体カートリッジ袋１０を装着していることを特徴とする。【選択図】図５
0003133732.tif 000002
【実用新案登録請求の範囲】
【請求項１】
本考案は、本体容器、フロート、錘、センサー、圧縮空気缶、悪臭液袋から成る機雷であって、船舶がセンサーに接触することによって、圧縮空気缶の栓が割れ、その圧力で悪臭液袋が押され、本体容器の噴射口から周囲に悪臭がする液が飛散される構造をもち、主に密猟者の船舶に対して設置されることを特徴とする対密猟者用簡易機雷。
【考案の詳細な説明】
【技術分野】
【０００１】  本考案は、主に艦船を破壊することを目的として海洋に設置される、軍用機雷やその他の機雷に関する。【０００２】  従来、世界各国の軍事組織で使用される機雷は、物理的なサンサーをむき出して水上に浮いていたり、海中で磁気センサーを発信させていたりするなどして、艦船がそのセンサーに触れてから炸裂するという機能を有している。しかし、それは単に軍事目的で艦船を破壊する目的のみを果たすものである。【０００３】  機雷の機能は、軍事目的に開発されたこともあり、艦船の破壊をすることにある。
また、そのセンサーが感知した物体全てが破壊対象になり、設置者の意に反し、商船や漁船を破壊してしまうことも有りえるため、周辺を航行する小型船に搭乗した人間にとっては生命を奪われかねないという脅威の対象である。【０００４】  なお、本考案に関連する公知技術として次の特許文献１を挙げることができる。【０００５】
【特許文献１】  特許公開平６−５０７００
【考案の開示】
【考案が解決しようとする課題】
【０００６】  上記の如く、従来技術に係る機雷は、あくまでも軍事目的で使用するもので、船舶を破壊し、その乗組員を死傷させる機能を有しており、民間の警備用としては基本的人権の観点から使用をすることは難しい。【０００７】  このため、たとえば日本国のナマコ漁場では、漁業の許可期間以外の時期に漁に現れる密猟者からナマコを守るため、海上保安庁や警察などの巡視による防備がなされている。
しかし、有人船による警備では、四六時漁場を監視することは出来ず、密猟容疑者を発見しても、その相手に怪我を負わせないように配慮したりしなければならないのが現状で、漁場に機雷や障害物を備えて楽をすると、付近その人が死ぬような大災害をもたらしかねないため、従来技術による無人兵器を漁場に備える事は現実的ではない。【０００８】  本考案は、このような点を考慮し、対人殺傷力の少ない機雷で海洋資源を防備できるようにするためのもので、目的は、容器に炸薬の替わりに圧縮空気とその先に肥しやクレオソート油などの悪臭がする液体を装備させてこれを機雷とし、密漁船が機雷に接触したら容器ノズルから悪臭がする液が外部に散布される仕組みを使用することで、この機雷に接触した海洋密猟者に不快感を与え、密猟の意欲を軽減させることにある。
【課題を解決するための手段】
【０００９】  上記の目的を達成する本考案の対密猟者用簡易機雷は、悪臭を持つ液体を噴射するノズル（発射口）を有する海洋浮遊物体であって、設置箇所の水深に見合う長さのロープを使い、海底の錘と連結することで漂流を防止すると共に、容器内に、圧縮空気と悪臭を持つ液体のカートリッジ及び、それらを制御する簡易なセンサーを内蔵されていることを特徴とする。【００１０】  前記の圧縮空気と悪臭を持つ液体は、必ずカートリッジになる容器に収められていて、機雷作動でカートリッジ使用後、新たなカートリッジを本体容器に入れ替えることで本考案の機雷は何度と無く使用できる。【００１１】  一例として、ノズルにネジとボルト頭を設けることで、これを前記カートリッジの出し入れ口と兼ねる事が出来る。
【考案の効果】
【００１２】  以上説明したように、本考案によれば、機雷のセンサーに船舶が触れるとノズルから悪臭漂う液体が発射されるため、発射を受けた船舶が密漁船であった場合、臭気により密猟者らの作業意欲が軽減されることが見込まれる。
また、機雷作動時、誤って密漁船以外の船舶に悪臭の液体が飛散した場合でも、液体自体対人殺傷力及び対艦船破壊力がほとんど無いため、悪臭液体を被る被害者の生命財産に損害を出す心配もほとんど無い。
【考案を実施するための最良の形態】
【００１３】  以下、本考案の実施の形態を図面に基づき詳細に説明する。【００１４】  図１から図５は、本考案の実施の形態に係り、図１はその外観斜視図、図２はその圧縮空気缶の断面図、図３はその悪臭を持つ液体を収めるカートリッジ袋の外観斜視図、図４はそのノズルの真横からの外観図、図５は、その本体容器の断面図である。【００１５】  図１と図５で示すように、本考案は、本体容器２と錘５をロープ４で繋いだ上で、機雷という一つの形態を成す。【００１６】  本体容器２には、工具で回す事によって本体からの着け外しが可能なノズル１が付属していて、図４で示すように、そのノズル１の口には、サック６を着けることで内部に対する防水措置が出来るよう、茎状の丸みを持たせると共に、ノズル１の口の茎手前に工具をあてがうためのボルト頭をもうける。
また、ノズル１と本体容器２の継ぎ目は、ネジ８になっていて、本体容器２側にリングのパッキン１８を儲け、内部を防水する。【００１７】  本体容器２内部は、図５で示すように、下から、水を入れていくバラストタンク１７、その窪みに着脱可能な圧縮空気缶１３、その缶の頭付近の脇に、センサー３で構成され、上部は、フロート１９とこれに挟まれる形で蛇腹状の液体カートリッジ袋１０で構成される。【００１８】  圧縮空気缶１３と液体カートリッジ袋１０は、ノズル１を離脱させることによって、本体容器２よりの着脱が可能になる。
機雷作動後は、本体容器に２に対し新たな圧縮空気缶１３と液体カートリッジ袋１０を入れ替え機雷の再利用を図ることが出来る。【００１９】  センサー３は、図５で示すように、本体容器２を内部から外部までを貫く槍の様な形状を成し、センサー３が本体容器２の穴から外部に姿を出す途中の隙間は、ゴム皮膜１５で密閉させて防水とし、センサー３が波の力などで容易に圧縮空気缶１３の上蓋センサー１１に触れないよう、スプリング１６による外側への弾力でこれを固定する。【００２０】  圧縮空気缶１３は、図２で示すように、本体の１３に空気入れ口１４と上蓋１２とその付属品でセンサーの役割を果す上蓋センサー１１によって構成される。
上蓋１２は、単純なガラス球で良く、空気入れ口１４は、自転車タイヤ用の空気取り入れ口のような構造で良い。
圧縮空気缶１３は、本体容器２のように再利用はされないため圧縮空気を溜めておくだけの機能で良い。【００２１】  上蓋センサー１１は、図２で示すように、上蓋１２の球に、その下部先端が突き刺さるように封入されるよう施工され、センサー３の内側の先端が密漁船から接触で、中央に進んできた際、これを受け、その衝撃で上蓋１２の球を割り、圧縮空気缶１３から圧縮空気を開放する役目を負う。【００２２】  液体カートリッジ袋１０は、図３で示すように、蛇腹チューブの形状を成し、前記の如く、下部圧縮空気缶からの圧縮空気の圧力が有ると、上方へ縮んでその圧力でノズル１から内蔵の液体を外部へ射出する役目を負う。
液体カートリッジ袋の出口は、液体逆流防止のため、外開きの弁９を設ける。
また、内容物は、肥しやクレオソート油のような、強烈な悪臭を持つ液体にし、消防法に指定される危険物や、劇物、火薬類などの使用を避ける。【００２３】  図１で示すように、ロープ４は、耐水性が有るならば、市販のものを使用して良い。【００２４】  錘５は、図１で示すように、本体容器２が設置後漂流しないように、設置場所に留めておく目的で付属している。形状はや材質はあまりこだわらなくて良いが、耐水性の有る物体で製造される。【００２５】  図１と図５にある取っ手２０は、本考案の機雷を敷設する際、作業員がこれをつかんで移動するために有るが、使用済の機雷を回収する際に長柄フックで船舶に手繰り寄せられるようにするためでもある。【００２６】  バラストタンク１７は、図５で示すように、本体容器２が転覆しノズル１が海に没しないように本体容器２の重心を下部に集中させる目的で設けられている。
バラストの中身は真水にし、真水注入や排水時には、ボルト２１を外すことで注排水口を確保してから作業を行えるようにする。
【産業上の利用可能性】
【００２７】  本考案は、普段深刻な密猟被害に遇う魚介類を扱う漁業関係業者やこれに関連する産業分野で利用することが出来る。
【図面の簡単な説明】
【００２８】
【図１】  本考案の実施の形態に係る対密猟者用簡易機雷の外観斜視図である。
【図２】  図１の機雷本体容器内部に装着する圧縮空気缶の断面図である。
【図３】  図１の機雷本体容器内部に装着する液体カートリッジ袋の外観斜視図である。
【図４】  図１の機雷上部に装備されるノズルの横からの外観図である。
【図５】  図１の機雷の本体容器より上部の断面図である。
【符号の説明】
【００２９】１        ノズル
２        本体容器
３        センサー
４        ロープ
５        錘
６        サック
７        ボルト頭
８        ネジ
９        弁
１０      液体カートリッジ袋
１１      上蓋センサー
１２      上蓋
１３      圧縮空気缶
１４      空気入れ口
１５      ゴム皮膜
１６      スプリング
１７      バラストタンク
１８      パッキン
１９      フロート
２０      取っ手
２１      ボルト
【図１】
0003133732.tif 000003
【図２】
0003133732.tif 000004
【図３】
0003133732.tif 000005
【図４】
0003133732.tif 000006
【図５】
0003133732.tif 000007
【手続補正書】
【提出日】平成19年2月9日(2007.2.9)
【手続補正１】
【補正対象書類名】実用新案登録請求の範囲
【補正対象項目名】全文
【補正方法】変更
【補正の内容】
【実用新案登録請求の範囲】
【請求項１】
球形をした本体容器の上部にノズル、本体容器の内部に、上からフロート、悪臭液袋、突起状のセンサー、圧縮空気缶、バラストタンクを配し、本体容器下部と錘をロープなどで連結させた構造を有する。
【手続補正書】
【提出日】平成19年4月13日(2007.4.13)
【手続補正１】
【補正対象書類名】実用新案登録請求の範囲
【補正対象項目名】全文
【補正方法】変更
【補正の内容】
【実用新案登録請求の範囲】
【請求項１】
球形をした本体容器の上部にノズル、本体容器の内部に、上からフロート、悪臭液袋、突起状のセンサー、圧縮空気缶、バラストタンクを配し、本体容器下部と錘をロープなどで連結させた構造を持った、炸薬を使用しない簡易機雷。